(57)【要約】      （修正有）【課題】接着面の経年劣化による剥離の可能性を低減させる断熱ボードを提供する。【解決手段】正面略方形のポリスチレンフォーム材１１の片側表面に樹脂系ベースモルタル１４を設けた断熱ボード１０を技術的前提として、樹脂系ベースモルタル１４を設けた面を断熱ボードの表面側としたときに、断熱ボード１０の裏面側に、上下端部Ｅを連絡する排水溝２０を複数形成する。接着面となる断熱ボードの裏面側に複数の排水溝２０を形成することにより、接着面で生じる結露水を、当該排水溝に沿って下方に排出することができる。また、排水溝２０は、上下端部Ｅを連絡するものであるから、上下方向の凹凸が存在することによって、接着面の変形は最小限に抑えられる。凹凸部分が、歪み変形を最小限に抑えるからである。【選択図】図１
0003199543.tif 000002
【実用新案登録請求の範囲】
【請求項１】
正面略方形を呈するポリスチレンフォーム材の片側表面に樹脂系ベースモルタルを設けた断熱ボードにおいて、
前記樹脂系ベースモルタルを設けた面を断熱ボードの表面側としたときに、
前記断熱ボードの裏面側に、上下端部を連絡する排水溝を複数形成したことを特徴とする断熱ボード。
【請求項２】
樹脂系ベースモルタルの表面に、
固定金具の打込位置を示す位置マーカーを設けるとともに、
当該位置マーカーは、
ポリスチレンフォーム材の裏面側に設けた排水溝の位置から左右いずれかに位置ずれをさせた箇所に設けることを特徴とする請求項１記載の断熱ボード。
【考案の詳細な説明】
【技術分野】
【０００１】
本考案は、建物の外壁に配設する断熱ボードに関する。
【背景技術】
【０００２】
建物の外壁に配設する断熱ボードは、従来、例えば、図５に示すようなものが提案されている（特許文献１）。
【０００３】
この断熱ボードＰは、発泡樹脂を用いた断熱用ボード１の表面に、樹脂モルタル２を塗布し乾燥させたものである。この特許文献１に係る断熱ボードＰは、樹脂モルタル２の中に、補強メッシュ４を配してある。このような断熱ボードＰは、下記特許文献２も開示されている。
【０００４】
図６に示すように、断熱ボードＰは、例えば、難燃性の構造用面材５および透湿防水シート６を介して、柱材７−１、間柱材７−２の外側に固定する。８は、固定用のビス。９は、柱材７−１と間柱材７−２との間に充填した断熱材である。Ｑは、石膏ボード、樹脂シート、気密シート等からなる内側材である。
【先行技術文献】
【特許文献】
【０００５】
【特許文献１】特開２００６−３４１２４６号
【特許文献２】特開２００７−０８５０２７号
【考案の開示】
【考案が解決しようとする課題】
【０００６】
問題は、透湿防水シート６の表面に接着剤を介して貼着した断熱ボードＰが、経年劣化により剥離しやすくなる点である。
【０００７】
この理由は、冬期と夏期の寒暖の繰り返しによる断熱用ボード１の収縮変形と、それに伴う雨水の浸入、外気温の寒暖差によって接着面に生ずる結露が、接着面に生じた僅かな隙間に入り込むことに起因する。
【０００８】
そこで、本考案の目的は、接着面の経年劣化による断熱ボードの剥離の可能性を低減させることにある。
【課題を解決するための手段】
【０００９】
前記目的を達成するため、本考案に係る断熱ボードは、正面略方形のポリスチレンフォーム材の片側表面に樹脂系ベースモルタルを設けた断熱ボードを技術的前提として、樹脂系ベースモルタルを設けた面を断熱ボードの表面側としたときに、前記断熱ボードの裏面側に、上下端部を連絡する排水溝を複数形成した（請求項１）。
【００１０】
接着面となる断熱ボードの裏面側に複数の排水溝を形成することにより、接着面で生じる結露水を、当該排水溝に沿って下方に排出することができる。
【００１１】
また、排水溝は、上下端部を連絡するものであるから、上下方向の凹凸が存在することによって、接着面の変形は最小限に抑えられる。凹凸部分が、歪み変形を最小限に抑えるからである。
【００１２】
変形を最小限に抑え、また裏面の排水溝を介して結露水を下方に案内するから、本考案に係る断熱ボードによれば、接着面は安定した状態を長期にわたって保証できるようになり、経年劣化による剥離の問題を改善することが出来る。
【００１３】
樹脂系ベースモルタルの表面に、固定金具の打込位置を示す位置マーカーを設けるとともに、当該位置マーカーは、ポリスチレンフォームの裏面側に設けた排水溝の位置から左右いずれかに位置ずれをさせた箇所に設ける場合がある（請求項２）。
【００１４】
従来は、断熱ボードを配設する場合に、固定金具の打込位置を巻き尺等のスケールによって計測した。断熱ボードの表面側から柱材や間柱材に固定金具を打ち込めればよいから、スケールを用いた計測でもミスは生じ難い。しかしながら、近時、柱材や間柱材の離隔寸法を十分に認識していない作業員も増えているので、樹脂系ベースモルタルの表面に位置マーカーを設けることによって作業性を向上させ、打ち込みミスを確実に防止することが出来る。
【００１５】
固定金具が、断熱ボードの裏面の排水溝を貫通しないよう、位置マーカーと排水溝は互いに左右に位置ずれさせた状態で設ける。柱材と間柱材の離隔寸法は、特殊な例外を除いて略一定であるから、断熱ボードの左右寸法が決まれば、位置マーカーの設定も容易に決定できる。裏面の排水溝は、位置マーカーの設定箇所から左右に外れた場所に成形すればよい。
【考案の効果】
【００１６】
本考案に係る断熱ボードによれば、裏面に水分を逃がす排水溝を設けたので、接着面の経年劣化による断熱ボードの剥離の可能性をより低減させることが出来る。
【図面の簡単な説明】
【００１７】
【図１】実施形態に係る断熱ボードの表面側を例示する斜視図である。
【図２】図１に示す断熱ボードの裏面側を例示する図である。
【図３】図１に示す断熱ボードの配設状態を例示する断面図である。
【図４】図１に示す断熱ボードの配設状態を正面から例示する図である。
【図５】従来の断熱ボードを例示する断面図である。
【図６】従来の断熱ボードの配設例を示す図である。
【考案を実施するための形態】
【００１８】
図１は、本考案に係る断熱ボードの実施形態を示すものである。
【００１９】
この断熱ボード１０は、正面略方形を呈するポリスチレンフォーム材１１の片側表面に樹脂系ベースモルタル１４を設けたものである。樹脂系ベースモルタル１４の中（内側または略中央）には、従来と同様に、補強メッシュ（図示せず）を配しておくことが望ましい。
【００２０】
また、樹脂系ベースモルタル１４を設けた面を断熱ボード１０の表面側としたときに、当該断熱ボード１０の裏面側に、上下端部Ｅを連絡する排水溝２０を複数形成してある。
【００２１】
３０は、固定金具の打込位置を示す位置マーカーである。この位置マーカー３０は、樹脂系ベースモルタル１４の表面に適宜形状をもって設けるもので、ポリスチレンフォーム材１１の裏面側に設けた排水溝２０の位置から左右いずれかに位置ずれをさせた箇所に設ける。以下、詳細に説明する。
【００２２】
ポリスチレンフォーム材１１は、例えば、正面形状が略方形（例えば横長の長方形）を呈するように成形する。このポリスチレンフォーム材１１は、他の呼称として、ＥＰＳボード（エクスパンダブル・ポリ・スチレンフォーム・ボード）または発泡スチロールボードと呼ばれることもある。透湿性能に優れ、自己消火性能、柔軟性等の利点をもっている。
【００２３】
ポリスチレンフォーム材１１の正面形状を略長方形とするのは、主として成形の容易と貼着の容易を図るためである。縦横の寸法は、例えば、横１８２０ｍｍ、縦９９０ｍｍ程度とすることが出来る。
【００２４】
ポリスチレンフォーム材１１の片側表面に設ける樹脂系ベースモルタル１４は、ポリスチレンフォーム材１１の表面を保護し、最終的な仕上材（フィニッシュコート）の下地材となる機能を営む。
【００２５】
樹脂系ベースモルタル１４は、適宜比率、例えば、５０％のアクリル系接着剤と５０％のセメントとを混合させたコート材であり、ポリスチレンフォーム材１１の片側表面に一定厚を塗布し、乾燥させて固化成形する。
【００２６】
樹脂系ベースモルタル１４の内部に補強メッシュ（図示せず）を配しておくと、耐クラック性能を高めることが出来る。補強メッシュを強度の高い素材、例えば、耐アルカリ処理を施した柔軟性のあるガラスメッシュを用いれば、耐衝撃性能も高めることが出来る。
【００２７】
ポリスチレンフォーム材１１の裏面に設ける排水溝２０は、例えば、図２にも示すように、ポリスチレンフォーム材１１の上下端部Ｅを連絡するものであり、適宜形状、例えば直線状の排水溝２０を略等間隔で適宜本数を設ける。この実施形態では、八本の排水溝２０を設ける場合を例示したが、複数本であれば、本数は適宜増減して構わない。
【００２８】
排水溝２０の断面形状は、例えば略矩形状または円弧形状とする。成形を容易にするためである。排水溝２０の機能は、ポリスチレンフォーム材１１の裏面に生ずる結露水、あるいはポリスチレンフォーム材１１の変形によって浸入する可能性がある水分を下方に案内することである。これらの水分は、通常の場合、きわめて僅かである。
【００２９】
従って、排水溝２０の左右幅、および奥行き（深さ）の寸法は、それほど大きくする必要はない。例えば、排水溝２０を断面略矩形に成形する場合、一本の排水溝２０の横幅は３０ｍｍ、深さを５ｍｍ程度とする等である。
【００３０】
排水溝２０の配設位置を略等間隔とするのは、上下に配置する他の断熱ボード（１０）に設けた排水溝（２０）と、排水溝同士を連絡させるためである。排水溝２０を、上下端部Ｅを連絡させるように形成するのも同一の理由に基づく。
【００３１】
位置マーカー３０は、断熱ボード１０を柱材または／および間柱材に固定金具（ビス等）を介して安定して固定するための打込位置を示すものである。表示の図形的な形状は任意である。
【００３２】
この実施形態では、断熱ボード１０の上下略中央部、上端、下端に、それぞれ適宜数（例えば五個）の位置マーカー３０を設ける場合を示してある。符号Ｃ１は、断熱ボード１０の上下中央を示す仮想線、Ｃ２は、断熱ボード１０の左右中央を示す仮想線、Ｃ３は、断熱ボード１０の左右端部とＣ２の左右中央を示す仮想線である。
【００３３】
位置マーカー３０は、横方向の仮想線Ｃ１と、縦方向の仮想線Ｃ２、Ｃ３との交点および断熱ボード１０の左右端部に配するとともに、断熱ボード１０の上下端部の仮想線Ｃ２、Ｃ３上と左右端部に配する。
【００３４】
柱材と間柱材との離隔距離は、特別な場合を除き、建築の伝統的な慣習として略一定であるから、隣接する左右の位置マーカー３０同士の離隔寸法も、略一定に設定することが出来る。例えば、４５５ｍｍと設定する等である。
【００３５】
位置マーカー３０を円で示す場合は、左右の離隔寸法は、円の中心をもって計測する。
【００３６】
位置マーカー３０は、当該箇所から固定金具（ビス等）を打ち込んだときに、裏面の排水溝２０から外れた位置に固定金具の先端が位置するよう、互いに位置が重ならないように左右に位置ずれさせて配設する。固定金具が排水溝２０に突き出ると、排水溝２０を介して下方に流れる水の流動を阻害するからである。
【００３７】
従って、かかる構成によれば、図３に示すように、柱材７−１、間柱材７−２の外側に断熱ボード１０を固定する場合に、位置マーカー３０を目印として、ビス等の固定金具８を打ち込むことが出来るため、作業効率が確実に向上する。柱材７−１と間柱材７−２の位置を、スケールで計測判断する等の手間が省けるからである。固定金具８の打ち込みミスも防止できる。
【００３８】
また、断熱ボード１０は、透湿防水シート６と当接する裏面に排水溝２０を備えるので、結露水や経年劣化等に起因する浸入水を下方に案内して排出できるので、透湿防水シート６に接する接着面の剥離を防止することが出来る。なお、９は発泡樹脂材、Ｑは、石膏ボード、樹脂シート、気密シート等からなる内側材である。
【００３９】
本考案に係る断熱ボード（１０）は、結露水等の排出によって経年使用における剥離を防止することを主目的とするので、位置マーカー（３０）は必ずしも設ける必要はない。また、上下段の断熱ボード（１０）は、図４に示すように、左右に位置ずれさせた千鳥状でも良いが、上下に位置する排水溝（２０）は必ず連続するように配する。排水性能を担保するためである。Ｂは、基礎である。
【符号の説明】
【００４０】
６  透湿防水シート
７−１  柱材
７−２  間柱材
８  固定金具
９  断熱材
１０  断熱ボード
１１  ポリスチレンフォーム材
１４  樹脂系ベースモルタル
２０  排水溝
３０  位置マーカー
Ｂ  基礎
Ｃ１  （断熱ボード１０の上下中央を示す）仮想線
Ｃ２  （断熱ボード１０の左右中央を示す）仮想線
Ｃ３  （断熱ボード１０の左右端部とＣ２の左右中央を示す）仮想線
Ｅ  上下端部
Ｑ  内側材
【図１】
0003199543.tif 000003
【図２】
0003199543.tif 000004
【図３】
0003199543.tif 000005
【図４】
0003199543.tif 000006
【図５】
0003199543.tif 000007
【図６】
0003199543.tif 000008